(57)【要約】【課題】個人に対して温室効果ガスの抑制の意識を促す。【解決手段】店舗１００の商品には、予め、商品の種別を特定するためのＩＣタグ１０が付与されている。また、各商品には、店舗が購入した温室効果ガス排出枠を小分けにした量が付与され、その情報は管理サーバ３０で管理されている。顧客が商品を購入すると、ＰＯＳ端末２０によりＩＣタグ１０が読み取られ、購入商品の種別が特定される。そして、管理サーバ３０は、購入商品に割り当てられている排出枠を、購入者である顧客のものとして、顧客ごとに集計して記憶する。また、このように顧客毎に集計された排出枠は、顧客が自身のユーザ端末４０から管理サーバ３０にアクセスすることにより、取得して表示させることができる。【選択図】図１
2012108597.tif 000002
【特許請求の範囲】
【請求項１】
商品に付与され、該商品の種別を特定する種別特定情報を記憶するＩＣタグと、
前記ＩＣタグに記憶されている情報を読み取る読取手段と、
商品の種別毎に、該種別の商品各々に割り当てられている温室効果ガス排出枠の量を示す情報を記憶する商品排出枠記憶手段と、
ユーザの識別情報と、該ユーザが取得した温室効果ガス排出枠の量を示す情報とを対応付けて記憶するユーザ排出枠記憶手段と、
ユーザが前記商品を購入する際に、該ユーザの識別情報を受け付けるとともに、前記読取手段が該商品に付与されているＩＣタグから読み取った種別特定情報を取得する取得手段と、
前記商品排出枠記憶手段を参照して、前記取得手段が受け付けた種別特定情報で特定される種別の商品に割り当てられている温室効果ガス排出枠の量を特定する温室効果ガス排出枠特定手段と、
前記取得手段が受け付けたユーザの識別情報に対応付けられている温室効果ガス排出枠の量を示す情報を前記ユーザ排出枠記憶手段から取得し、当該情報が示す当該温室効果ガス排出枠の量に前記温室効果ガス排出枠特定手段が特定した温室効果ガス排出枠の量を加算した量を示す情報に当該情報を更新する加算手段と、
前記ユーザからの要求を受けて、該ユーザが購入した商品に割り当てられている温室効果ガス排出枠の量を示す情報を前記ユーザ排出枠記憶手段から取得し、該ユーザが参照可能に表示する表示手段と、
を備えることを特徴とする、温室効果ガス排出枠管理システム。
【請求項２】
前記商品に、該商品に割り当てられている排出枠の量が記載されたラベルを添付する、
ことを特徴とする請求項１に記載の温室効果ガス排出枠管理システム。
【請求項３】
前記商品は青果物である、
ことを特徴とする請求項１又は２に記載の温室効果ガス排出枠管理システム。
【請求項４】
商品の種別毎に、該種別の商品各々に割り当てられている温室効果ガス排出枠の量を示す情報を記憶する商品排出枠記憶と、ユーザの識別情報と、該ユーザが取得した温室効果ガス排出枠の量を示す情報とを対応付けて記憶するユーザ排出枠記憶手段と、を備えたコンピュータを用いた温室効果ガス排出枠管理方法であって、
商品に付与され、該商品の種別を特定する種別特定情報を記憶するＩＣタグに記憶されている情報を読み取る読取ステップと、
ユーザが前記商品を購入する際に、該ユーザの識別情報を受け付けるとともに、前記読取ステップで該商品に付与されているＩＣタグから読み取った種別特定情報を取得する取得ステップと、
前記商品排出枠記憶手段を参照して、前記取得ステップで受け付けた種別特定情報で特定される種別の商品に割り当てられている温室効果ガス排出枠の量を特定する温室効果ガス排出枠特定ステップと、
前記取得ステップで受け付けたユーザの識別情報に対応付けられている温室効果ガス排出枠の量を示す情報を前記ユーザ排出枠記憶手段から取得し、当該情報が示す当該温室効果ガス排出枠の量に前記温室効果ガス排出枠特定ステップで特定した温室効果ガス排出枠の量を加算した量を示す情報に当該情報を更新する加算ステップと、
前記ユーザからの要求を受けて、該ユーザが購入した商品に割り当てられている温室効果ガス排出枠の量を示す情報を前記ユーザ排出枠記憶手段から取得し、該ユーザが参照可能に表示する表示ステップと、
を備えることを特徴とする、温室効果ガス排出枠管理方法。
【発明の詳細な説明】
【技術分野】
【０００１】
本発明は、温室効果ガス排出枠管理システム、及び温室効果ガス排出枠管理方法に関する。
【背景技術】
【０００２】
地球温暖化の原因となる二酸化炭素等の温室効果ガスの排出量を抑制するための制度作りが全世界的に試みられている。例えば、国家や企業毎に温室効果ガスの排出枠（キャップ）を定め、排出枠が余った国や企業と、排出枠を超えて排出してしまった国や企業との間で取引（トレード）する排出権取引制度が試みられている。
【０００３】
特許文献１は、二酸化炭素排出権をデータ通信網上で取引することを特徴とする二酸化炭素排出権の取引方法を開示している。
【先行技術文献】
【特許文献】
【０００４】
【特許文献１】特開２００１−３０６８３９号公報
【発明の概要】
【発明が解決しようとする課題】
【０００５】
特許文献１が開示する排出権取引制度は、国家間、企業間での取引を主対象とする制度である。従って、個人レベルでの温室効果ガスの抑制に寄与する効果は低いのが実情である。
【０００６】
本発明は上記実情に鑑みてなされたものであり、個人に対して温室効果ガスの抑制の意識を促すことができる温室効果ガス排出枠管理システム、及び温室効果ガス排出枠管理方法を提供することを目的とする。
【課題を解決するための手段】
【０００７】
上記目的を達成するため、本発明の第１の観点に係る温室効果ガス排出枠管理システムは、
商品に付与され、該商品の種別を特定する種別特定情報を記憶するＩＣタグと、
前記ＩＣタグに記憶されている情報を読み取る読取手段と、
商品の種別毎に、該種別の商品各々に割り当てられている温室効果ガス排出枠の量を示す情報を記憶する商品排出枠記憶手段と、
ユーザの識別情報と、該ユーザが取得した温室効果ガス排出枠の量を示す情報とを対応付けて記憶するユーザ排出枠記憶手段と、
ユーザが前記商品を購入する際に、該ユーザの識別情報を受け付けるとともに、前記読取手段が該商品に付与されているＩＣタグから読み取った種別特定情報を取得する取得手段と、
前記商品排出枠記憶手段を参照して、前記取得手段が受け付けた種別特定情報で特定される種別の商品に割り当てられている温室効果ガス排出枠の量を特定する温室効果ガス排出枠特定手段と、
前記取得手段が受け付けたユーザの識別情報に対応付けられている温室効果ガス排出枠の量を示す情報を前記ユーザ排出枠記憶手段から取得し、当該情報が示す当該温室効果ガス排出枠の量に前記温室効果ガス排出枠特定手段が特定した温室効果ガス排出枠の量を加算した量を示す情報に当該情報を更新する加算手段と、
前記ユーザからの要求を受けて、該ユーザが購入した商品に割り当てられている温室効果ガス排出枠の量を示す情報を前記ユーザ排出枠記憶手段から取得し、該ユーザが参照可能に表示する表示手段と、
を備えることを特徴とする。
【０００８】
また、前記商品に、該商品に割り当てられている排出枠の量が記載されたラベルを添付してもよい。
【０００９】
また、前記商品は青果物であってもよい。
【００１０】
上記目的を達成するため、本発明の第２の観点に係る温室効果ガス排出枠管理方法は、
商品の種別毎に、該種別の商品各々に割り当てられている温室効果ガス排出枠の量を示す情報を記憶する商品排出枠記憶と、ユーザの識別情報と、該ユーザが取得した温室効果ガス排出枠の量を示す情報とを対応付けて記憶するユーザ排出枠記憶手段と、を備えたコンピュータを用いた温室効果ガス排出枠管理方法であって、
商品に付与され、該商品の種別を特定する種別特定情報を記憶するＩＣタグに記憶されている情報を読み取る読取ステップと、
ユーザが前記商品を購入する際に、該ユーザの識別情報を受け付けるとともに、前記読取ステップで該商品に付与されているＩＣタグから読み取った種別特定情報を取得する取得ステップと、
前記商品排出枠記憶手段を参照して、前記取得ステップで受け付けた種別特定情報で特定される種別の商品に割り当てられている温室効果ガス排出枠の量を特定する温室効果ガス排出枠特定ステップと、
前記取得ステップで受け付けたユーザの識別情報に対応付けられている温室効果ガス排出枠の量を示す情報を前記ユーザ排出枠記憶手段から取得し、当該情報が示す当該温室効果ガス排出枠の量に前記温室効果ガス排出枠特定ステップで特定した温室効果ガス排出枠の量を加算した量を示す情報に当該情報を更新する加算ステップと、
前記ユーザからの要求を受けて、該ユーザが購入した商品に割り当てられている温室効果ガス排出枠の量を示す情報を前記ユーザ排出枠記憶手段から取得し、該ユーザが参照可能に表示する表示ステップと、
を備えることを特徴とする。
【発明の効果】
【００１１】
本発明によれば、温室効果ガス排出枠を付与して商品を販売することで、個人に対して温室効果ガスの抑制の意識を促すことができる。
【図面の簡単な説明】
【００１２】
【図１】本発明の実施形態に係る温室効果ガス排出枠管理システムの構成を示す図である。
【図２】ＰＯＳ端末の構成を示すブロック図である。
【図３】管理サーバの構成を示すブロック図である。
【図４】商品排出枠記憶テーブルの構成例を示す図である。
【図５】顧客排出枠記憶テーブルの構成例を示す図である。
【図６】ユーザ端末の構成を示すブロック図である。
【図７】前処理の動作を説明するためのフローチャートである。
【図８】排出枠登録処理の動作を説明するためのフローチャートである。
【図９】ＰＯＳ端末の表示部に表示される画面の例を示す図である。
【図１０】排出枠確認処理の動作を説明するためのフローチャートである。
【図１１】ユーザ端末の表示部に表示される画面の例を示す図である。
【発明を実施するための形態】
【００１３】
以下、本発明の各実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１４】
本発明の実施形態に係る温室効果ガス排出枠管理システム１は、図１に示すように、店舗１００内の個々の商品に付与されているＩＣタグ１０と、該ＩＣタグ１０から情報を読み取り可能なＰＯＳ端末２０と、ＰＯＳ端末２０とインターネットを介して接続されている管理サーバ３０と、管理サーバ３０とインターネットを介して接続されているユーザ端末４０とを備える。なお、本実施形態では、店舗１００は青果店であり、商品は青果物であるものとして以下説明する。
【００１５】
商品（青果物）に取り付けられているＩＣタグ１０は、メモリを備えたＩＣチップとアンテナ（何れも図示せず）を搭載し、ＲＦＩＤ方式にて、ＩＣカードと無線通信を行う。このＩＣチップのメモリには、当該商品の種別を示すタグＩＤ（商品種別特定情報）が記憶されている。
【００１６】
ＰＯＳ端末２０は、店舗１００内のＰＯＳシステムにおいて売り上げ情報処理に用いられるキャッシュレジスタ等から構成されるコンピュータである。ＰＯＳ端末２０は、図２に示すように、通信部２１と、ＩＣタグ読取部２２と、操作部２３と、表示部２４と、記憶部２５と、制御部２６とを備える。
【００１７】
通信部２１は、ＮＩＣ（Network Interface Card）等を備え、制御部２６からの指示に従い、インターネットを介して管理サーバ３０と通信を行う。
【００１８】
ＩＣタグ読取部２２は、アンテナ等を備え、近接されたＩＣタグ１０と、ＲＦＩＤ方式の無線通信を行い、ＩＣタグ１０に記憶されているタグＩＤを読み取る。
【００１９】
操作部２３は、各種のボタンなどから構成され、操作者（主に店員）からの操作に対応した操作信号を制御部２６に供給する。例えば、店員は、顧客が商品を購入した際に、当該顧客のＩＤである顧客番号を操作部を操作して入力する。
【００２０】
表示部２４は、ＰＯＳ端末２０の筐体表面に設置された表示パネル等であり、制御部２６からの指示に従い、メニュー画面や各種の情報を表示する。
【００２１】
記憶部２５は、ＲＡＭ（Random Access Memory）、ＲＯＭ（Read Only Memory）、補助記憶装置等の記憶装置によって構成され、各種のデータや、画面を定義する画像データ、および、プログラム等を記憶する。
【００２２】
制御部２６は、ＣＰＵ（Central Processing Unit）やマイクロプロセッサユニット、ソフトウェアタイマ等から構成され、記憶部２５に記憶されているプログラムを実行することで、ＰＯＳ端末２０全体の動作（各部の動作）を制御する。
【００２３】
また、制御部２６は、顧客が商品を購入する際に、該商品に付与されているＩＣタグ１０からＩＣタグ読取部２２が読み取ったタグＩＤと、操作部２３から入力された当該顧客の顧客番号とを含む排出枠登録要求をインターネットを介して管理サーバ３０に送信させる処理を行う。
【００２４】
図１に戻り、管理サーバ３０は、インターネットを介して、店舗１００のＰＯＳ端末２０と接続し、店舗１００に会員登録されている顧客に関する各種の情報を管理するサーバである。また、管理サーバ３０は、インターネットを介して、ユーザ端末４０と接続し、ユーザ端末４０に各種の情報を提供する。管理サーバ３０は、図３（Ａ）に示すように、通信部３１と、操作部３２と、表示部３３と、記憶部３４と、制御部３５とを備える。
【００２５】
通信部３１は、ＮＩＣ等を備え、制御部３５からの指示に従い、インターネットを介して、ＰＯＳ端末２０やユーザ端末４０と通信を行う。
【００２６】
操作部３２は、各種のボタンやマウスなどから構成され、店員やオーナーからの操作に対応した操作信号を制御部３５に供給する。
【００２７】
表示部３３は、液晶ディスプレイ等であり、制御部３５からの指示に従い、メニュー画面や各種の情報を表示する。例えば、表示部は、商品１個当たりの排出枠の量を登録するための画面を表示する。
【００２８】
記憶部３４は、ＲＡＭ、ＲＯＭ、補助記憶装置等の記憶装置によって構成され、各種固定データや各種プログラム等を記憶する。
【００２９】
また、記憶部３４は、図３（Ｂ）に示すように、商品排出枠記憶テーブル３４１と、顧客排出枠記憶テーブル３４２とを備える。
【００３０】
商品排出枠記憶テーブル３４１には、図４に示すように、商品の種別毎に、種別を示すタグＩＤと、商品名と、商品１個に割り当てられている二酸化炭素の排出枠（以下、単に排出枠とする）の量とが対応付けられて記憶される。例えば、図４の先頭のエントリから、タグＩＤ「Ｖ０００００１」が付与されている「レタス」１個には、「３０グラム」の排出枠が割り当てられていることがわかる。
【００３１】
顧客排出枠記憶テーブル３４２には、図５に示すように、顧客（ユーザ）毎に、顧客番号と、顧客名と、顧客が商品を購入したことにより取得した排出枠の量とが対応付けられて記憶される。例えば、図５の先頭エントリから、顧客番号「Ｕ０００００１」の「特許太郎」が取得した排出枠の総量は「１００グラム」であることがわかる。
【００３２】
図３（Ａ）に戻り、制御部３５は、ＣＰＵやマイクロプロセッサユニット等から構成され、記憶部３４に記憶されているプログラムを実行することで、管理サーバ３０全体の動作（各部の動作）を制御する。
【００３３】
また、制御部３５は、商品排出枠記憶テーブル３４１を参照して、ＰＯＳ端末２０から受信したタグＩＤが付与されている商品に割り当てられている排出枠の量を特定する。そして、制御部は、ＰＯＳ端末２０から受信した顧客番号で特定される顧客の排出枠の量を加算する処理を実行する。
【００３４】
また、制御部３５は、ユーザのユーザ端末４０から受信した排出枠確認の要求に応答して、顧客排出枠記憶テーブル３４２から当該ユーザの排出枠を取得し、ユーザ端末４０に送信する処理を実行する。
【００３５】
図１に戻り、ユーザ端末４０は、店舗１００に会員登録されている顧客（ユーザ）によって操作される、ＰＣ（Personal Computer）や携帯電話等のコンピュータである。ユーザ端末４０は、図６に示すように、通信部４１と、操作部４２と、表示部４３と、記憶部４４と、制御部４５と、を備える。
【００３６】
通信部４１は、ＮＩＣ等を備え、制御部４５からの指示に従い、インターネットを介して、管理サーバ３０と通信を行う。
【００３７】
操作部４２は、各種のボタンやマウスなどから構成され、ユーザからの操作に対応した操作信号を制御部４５に供給する。例えば、ユーザは、購入した商品から取得した排出枠の総量を表示させるための指示を操作部４２を介して入力する。
【００３８】
表示部４３は、液晶ディスプレイ等であり、制御部４５からの指示に従い、メニュー画面や各種の情報を表示する。例えば、表示部は、ユーザの取得した排出枠の量を表示する。
【００３９】
記憶部４４は、ＲＡＭ、ＲＯＭ、補助記憶装置等の記憶装置によって構成され、各種のデータや画面データやプログラム等を記憶する。
【００４０】
制御部４５は、ＣＰＵやマイクロプロセッサユニット、ソフトウェアタイマ等から構成され、記憶部４４に記憶されているプログラムを実行することで、ユーザ端末４０全体の動作（各部の動作）を制御する。
【００４１】
続いて、温室効果ガス排出枠管理システム１で実施される処理の動作について説明する。
【００４２】
（前処理）
始めに、二酸化炭素排出量管理システムで必要となる情報を設定登録するための前処理の流れについて、図７を参照して説明する。なお、店舗１００の各商品には、予め、商品種別毎に異なるタグＩＤが記憶されているＩＣタグ１０が付与されているものとする。
【００４３】
まず、店舗１００のオーナーは、企業を対象とした排出枠取引を仲介している機関等から二酸化炭素の排出枠を購入する（ステップＳ１０１）。
【００４４】
続いて、オーナーは、商品１個当たりに付与する排出枠の量を決定する（ステップＳ１０２）。例えば、購入した排出枠が３０キログラムであり、それを１０００個のレタスに均等に割り当てたい場合、１個あたりのレタスに割り当てる排出量は３０グラムと決定される。なお、各商品に均等に排出枠を割り当てる必要はなく、商品種別毎に異なる量の排出枠を割り当ててもよい。また、購入した排出枠を全て割り当てなくてもよい。
【００４５】
そして、オーナーは、管理サーバ３０の操作部３２から決定した商品の排出枠の量を商品排出枠記憶テーブル３４１に登録するための操作を行い、制御部３５は当該操作に基づいて商品排出枠記憶テーブル３４１にデータの登録（又は更新）を行う（ステップＳ１０３）。
【００４６】
続いて、オーナーは、商品に割り当てた分の排出枠が償却されたことを、排出量取引を仲介している機関等に報告する。当該機関では、この報告を受けて、排出枠を償却するための所定の処理を行う（ステップＳ１０４）。以上で前処理は終了する。前処理により、購入した排出枠が適切に各商品に配分され、以降の処理が実施可能となる。
【００４７】
（排出枠登録処理）
続いて、ユーザが商品を購入する際に、当該商品に割当てられている排出枠を当該ユーザのものとして登録する排出枠登録処理について、図８のフローチャートを参照して説明する。
【００４８】
ユーザは、店舗１００内で所望の商品を手に取り、自分の顧客番号とともに、該商品を購入する旨をＰＯＳ端末２０を操作する店員に告げる。なお、ユーザは、顧客番号が印字された会員カードなどを提示することで顧客番号を告げてもよい。続いて、店員は、所定の決済処理を行い当該商品を販売する。またこの際、店員は、ＰＯＳ端末２０の操作部２３を操作し、表示部２４に表示されている所定のアイコンをクリックする。このクリック操作に応答して、制御部２６は、排出枠を登録するために、図９（Ａ）に示すような画面（排出枠登録画面）を表示部２４に表示させる（ステップＳ２０１）。
【００４９】
図８に戻り、続いて、店員は、ＰＯＳ端末２０の操作部２３を操作して、この排出枠登録画面上の所定欄に顧客から告げられた顧客番号を入力するとともに、購入商品に付与されているＩＣタグ１０をＰＯＳ端末２０に近接させる。そして、ＩＣタグ読取部２２は、近接されたＩＣタグ１０に記憶されているタグＩＤを読み出す（ステップＳ２０２）。そして、制御部２６は、通信部２１を制御して、読み出したタグＩＤと、入力された顧客番号とを含む排出枠登録要求を、管理サーバ３０に送信する（ステップＳ２０３）。
【００５０】
管理サーバ３０の通信部３１がＰＯＳ端末２０から排出枠登録要求を受信すると（ステップＳ２０４）、制御部３５は、当該要求に含まれるタグＩＤに対応付けられている排出枠の量を商品排出枠記憶テーブル３４１から取得する（ステップＳ２０５）。この排出枠の量は、今回顧客が購入した商品に割り当てられている排出枠の量となる。
【００５１】
続いて、制御部３５は、ステップＳ２０４で受信した排出枠登録要求に含まれる顧客番号を有する顧客排出枠記憶テーブル３４２のエントリの排出枠の量に取得した排出枠の量を加算する（ステップＳ２０６）。以上で排出枠登録処理は終了する。
【００５２】
このように、顧客が商品を購入した際、当該商品に付されているＩＣタグ１０を読み取ることにより、当該商品に割り当てられている排出枠の量が、当該ユーザのものとして加算（登録）される。
【００５３】
（排出枠確認処理）
続いて、顧客であるユーザが、自分の獲得した排出枠の量を確認する排出枠確認処理について、図１０のフローチャートを参照して説明する。
【００５４】
まず、ユーザは、ユーザ端末４０の操作部４２を操作して、表示部４３に表示されている所定のアイコンをクリックする。このクリック操作に応答して、制御部４５は、図９（Ｂ）に示すような画面（排出枠確認画面）を表示部４３に表示させる（ステップＳ３０１）。
【００５５】
図１０に戻り、続いて、ユーザは、ユーザ端末４０の操作部４２を操作して、排出枠確認画面上の入力欄に自身の顧客番号を入力して所定のボタン（図９（Ｂ）に示す画面例では確認ボタン）をクリックする。この入力操作に応答して、制御部４５は、通信部４１を制御して、入力された顧客番号を含む排出枠確認要求を、管理サーバ３０に送信する（ステップＳ３０２）
【００５６】
管理サーバ３０の通信部３１が排出枠確認要求を受信すると（ステップＳ３０３）、制御部３５は、当該排出枠確認要求に含まれる顧客番号を有する顧客排出枠記憶テーブル３４２のエントリを特定する。そして、制御部３５は、特定したエントリに含まれる排出枠の量を取得する（ステップＳ３０４）。そして、制御部３５は、通信部３１を制御して、特定した排出枠の量を示す情報を排出枠確認要求を受信したユーザ端末４０に送信（返信）する（ステップＳ３０５）。
【００５７】
ユーザ端末４０の通信部４１が管理サーバ３０から排出枠の量を示す情報を受信すると（ステップＳ３０６）、制御部４５は、受信した排出枠の量を示す情報を表示するための画面データを作成する（ステップＳ３０７）。そして、制御部４５は、作成した画面データを図１１に示すように表示部に表示させる（ステップＳ３０８）。ユーザはこの画面を確認することで、自身がどれだけ二酸化炭素を削減する取り組みに参加しているのかを容易に把握することができる。以上で排出枠表示処理は終了する。
【００５８】
このように、本実施形態では、店舗１００が購入した排出枠が各商品に割当てられる。そして、顧客が商品を購入すると、当該商品に割当てられている排出枠が、顧客毎に集計されて記憶される。顧客は、商品を購入したことでどれだけの量の排出量を取得したのかを、自身の端末から容易に確認することができる。
【００５９】
従って、通常は国家間、企業間での取引を主対象にした排出権取引制度に、個人にすぎない顧客が間接的に参加することができる。さらに、顧客は自身が獲得した排出枠の量を定量的に確認することもできる。従って、本発明では、個人に対して温室効果ガスの抑制の意識を向上させることが可能となる。
【００６０】
また、各商品には商品種別を識別するためのＩＣタグ１０が付されているため、本システムはメンテナンス性においてもすぐれている。例えば、商品に割り当てられている排出枠の量を変更したい場合には、商品排出枠記憶テーブル３４１の内容を更新するだけで容易に変更が可能である。
【００６１】
なお、上記実施形態は、種々の変形、および、応用が可能である。
【００６２】
例えば、上記実施形態では、温室効果ガスとして二酸化炭素の排出枠を例に説明したが、メタンや亜酸化チッソなどの他の温室効果ガスの排出枠を対象にしてもよい。
【００６３】
また、商品にＩＣタグ１０を付与するだけでなく、「この商品には３０グラムの排出枠が付与されています」などといった、商品に割り当てられている排出枠の量を表示するラベルを添付してもよい。このようにすることで、顧客は購入する商品を選ぶ際にラベルの表示を確認することにより、自分が温室効果ガスを削減する取り組みに参加していることを実感することができ、当該商品に対する購買意欲を向上させることが可能となる。
【００６４】
また、ユーザが取得した排出枠の量に応じて、店舗１００で使用可能な商品割引券やクーポンを発行したもよい。このようにすることで、顧客は、排出枠付きの商品をより積極的に購入するようになるので、温室効果ガスの抑制により貢献することが可能となる。
【００６５】
また、ＰＯＳ端末２０と管理サーバ３０とは別々の装置である必要はなく、両装置の機能を統合して１つの装置から構成してもよい。
【００６６】
また、本実施形態のＰＯＳ端末２０、管理サーバ３０、及び、ユーザ端末４０は、専用のハードウェアに限られるものではなく、通常のコンピュータシステムによっても実現することができる。
【００６７】
具体的には、上記実施形態では、ＰＯＳ端末２０、管理サーバ３０、及び、ユーザ端末４０が実行するプログラムが、それぞれ、記憶部２５、記憶部３４、及び、記憶部４４に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行するＰＯＳ端末２０、管理サーバ３０、及び、ユーザ端末４０を構成してもよい。
【符号の説明】
【００６８】
１      温室効果ガス排出枠管理システム
１０    ＩＣタグ
２０    ＰＯＳ端末
３０    管理サーバ
４０    ユーザ端末
１００  店舗
【図１】
2012108597.tif 000003
【図２】
2012108597.tif 000004
【図３】
2012108597.tif 000005
【図４】
2012108597.tif 000006
【図５】
2012108597.tif 000007
【図６】
2012108597.tif 000008
【図７】
2012108597.tif 000009
【図８】
2012108597.tif 000010
【図９】
2012108597.tif 000011
【図１０】
2012108597.tif 000012
【図１１】
2012108597.tif 000013